(57)【要約】【課題】構造が単純であり且つ作るのが容易なバイザ付きヘルメットを提供する。【解決手段】バイザ付きヘルメットは、ユーザの頭を少なくとも部分的に覆うように形作られたシェル構造体と、シェルの互いに反対側の側部のところでヒンジ留めされていて、シェル（１１）に対して、シェル（１１）の頂部上に置かれてユーザの目を保護することはない持ち上げ位置と、ユーザの目のところでヘルメットの保護延長部となる引き下げ位置との間で動くことができるバイザ（１２）とを有し、バイザは、持ち上げ位置と引き下げ位置との間で手動切り換え可能であり、バイザを案内すると共にこのバイザを持ち上げ位置、引き下げ位置及び複数の中間位置で安定状態に保つ手段が設けられ、かかる案内手段は、バイザ（１２）とシェル（１１）との間の磁気結合手段を含む。【選択図】図１
2015004157.tif 000002
【特許請求の範囲】
【請求項１】
ユーザの頭を少なくとも部分的に覆うように形作られたシェル構造体を有するバイザ（１２）付きヘルメット（１０）であって、前記バイザ（１２）は、前記シェルの互いに反対側の側部のところでヒンジ留めされ、前記バイザ（１２）は、前記シェル（１１）に対して、前記バイザが前記シェル（１１）の頂部上に置かれてユーザの目を保護することはない持ち上げ位置と、バイザが前記ユーザの目のところで前記ヘルメットの保護延長部となる引き下げ位置との間で動くことができ、前記バイザ（１２）は、前記持ち上げ位置と前記引き下げ位置との間で手動切り換え可能であり、前記バイザを案内すると共に該バイザを前記持ち上げ位置、前記引き下げ位置及び複数の中間位置で安定状態に保つ手段が設けられている、バイザ（１２）付きヘルメットにおいて、前記案内手段は、前記バイザ（１２）と前記シェル（１１）との間の磁気結合手段を含む、バイザ（１２）付きヘルメット。
【請求項２】
前記磁気結合手段は、磁性部分（１４）を備えた前記バイザ（１２）の後側延長部（１３）と、前記シェル（１１）に形成された磁性相手方部分（１５）とを含む、請求項１記載のバイザ（１２）付きヘルメット（１０）。
【請求項３】
前記後側延長部（１３）と前記磁性相手方部分（１５）の両方は、前記持ち上げ位置から前記引き下げ位置への前記磁気結合を保証するようストリップのような形状のものである、請求項２記載のバイザ（１２）付きヘルメット（１０）。
【請求項４】
前記磁性部分（１４）は、前記後側延長部（１３）の自由端部のところに配置されている、請求項３記載のバイザ（１２）付きヘルメット（１０）。
【請求項５】
前記後側延長部（１３）のための第１の端ストローク部（１６）が前記バイザ（１２）を前記持ち上げ位置にロックするために前記バイザ（１２）に対して遠位側の位置で前記磁性相手方部分（１５）の端のところに設けられている、請求項４記載のバイザ（１２）付きヘルメット（１０）。
【請求項６】
前記後側延長部（１３）のための第２の端ストローク部が前記バイザ（１２）を前記引き下げ位置にロックするよう前記バイザ（１２）に対して近位側の位置で前記磁性相手方部分（１５）の端のところに設けられている、請求項４記載のバイザ（１２）付きヘルメット（１０）。
【請求項７】
前記磁性相手方部分（１５）は、前記シェル（１１）の内面に接着された金属製ストリップの形態に作られている、請求項２〜６のうちいずれか一に記載のバイザ（１２）付きヘルメット（１０）。
【請求項８】
前記磁性相手方部分（１５）は、前記シェル（１１）内に引っ込み可能な仕方で組み込まれた金属製ストリップの形態に作られている、請求項２〜６のうちいずれか一に記載のバイザ（１２）付きヘルメット（１０）。
【発明の詳細な説明】
【技術分野】
【０００１】
本発明は、バイザ付きヘルメットに関する。
【背景技術】
【０００２】
今日、複数の多種多様な形式のバイザ付きヘルメットが知られており、かかるヘルメットは、ユーザの頭を少なくとも部分的に覆うような形状のシェル構造体と、シェルの互いに反対側の側部にヒンジ留めされていて、シェルに対し、ユーザの目を保護することはない持ち上げ位置と、ユーザの目のところでヘルメットの保護延長部となる引き下げ位置との間で動くことができるバイザとを有する。
【０００３】
バイザは、持ち上げ位置から引き下げ位置に手動切り換え可能であり、バイザを案内すると共にこのバイザを持ち上げ位置、引き下げ位置及び複数の中間位置で安定状態に保つ手段が設けられている。
【発明の概要】
【発明が解決しようとする課題】
【０００４】
かかる先行技術から始まって、本発明の目的は、公知のバイザ付きヘルメットの代替手段であり、特に単純且つ作るのが容易なバイザ付きヘルメットを提供することにある。
【課題を解決するための手段】
【０００５】
本発明の主要な観点によれば、バイザを案内すると共にこのバイザを持ち上げ位置、引き下げ位置及び複数の中間位置で安定状態に保つ手段がバイザとシェルとの間の磁気結合手段により得られることを特徴とするバイザ付きヘルメットが提供される。
【０００６】
本発明の別の特徴は、従属形式の請求項に記載されている。
【０００７】
本発明のバイザ付きヘルメットの特徴及び利点は、添付の概略的な図面を参照して以下の例示且つ非限定的な説明を読むと明らかになるはずである。
【図面の簡単な説明】
【０００８】
【図１】本発明のヘルメットに取り付けられるバイザの取りうる形態の１つを示す図である。
【図２】本発明のヘルメットに取り付けられるバイザの取りうる形態の別の１つを示す図である。
【図３】本発明のヘルメットに取り付けられるバイザの取りうる形態の別の１つを示す図である。
【図４】本発明のヘルメットに取り付けられるバイザの取りうる形態の別の１つを示す図である。
【発明を実施するための形態】
【０００９】
図を参照すると、本発明のバイザ付きヘルメットが符号１０で示されている。
【００１０】
一般に、ヘルメットは、任意形式のものであって良く、娯楽用途と職業用途の両方のものであって良い。
【００１１】
かかるヘルメット１０は、ユーザの頭を少なくとも部分的に覆うように形作られたシェル構造体１１と、シェル１１の互いに反対側の側部にヒンジ留めされていて、シェル１１に対して、シェル１１に重ね合わされてユーザの目を保護することはない持ち上げ位置と、ユーザの目のところでヘルメットの保護延長部となる引き下げ位置との間で動くことができるバイザ１２とを有する。
【００１２】
バイザ１２は、持ち上げ位置と引き下げ位置との間で手動切り換え可能であり、バイザを案内すると共にこのバイザを持ち上げ位置、引き下げ位置及び複数の中間位置で安定状態に保つ手段が設けられている。
【００１３】
本発明によれば、かかる案内手段は、バイザ１２とシェル１１との間に設けられていて、図示の例によれば、磁性部分１４を備えたバイザ１２の後側延長部１３と、シェル１１に設けられた磁性相手方部分１５とで構成されている磁気結合手段を含む。
【００１４】
好ましくは、磁性相手方部分１５と後側延長部１３の両方は、持ち上げ位置から引き下げ位置へのバイザの運動全体の間、磁気結合を保証するようストリップのような形状のものである。
【００１５】
２つの変形実施形態によれば、金属ストリップの形態に作られた磁性相手方部分は、シェル１１の内面に接着されても良く、或いは、シェル１１の内部に引っ込み可能な仕方で組み込まれても良い。
【００１６】
最後に、後側延長部１３の運動のための端ストローク部１６がバイザ１２に対して遠位側の位置で磁性相手方部分１５の端のところに設けられるのが良く、しかも、磁性相手方部分１５の反対側の端のところで働く端ストローク部が設けられるのが良い。
【００１７】
これらの端ストローク部は、持ち上げ位置から引き下げ位置へのバイザの動きを制限する。
【００１８】
かくして、本発明のバイザ付きヘルメットは、上述の目的を達成することが観察された。
【００１９】
実際には、本発明のバイザ付きヘルメットは、バイザを案内すると共にこれを定位置に保つための新規な手段を備えた現在公知のヘルメットの代替手段を提供する。
【００２０】
このようにして観察された本発明のバイザ付きヘルメットは、多くの改造及び変形が可能であり、これらは全て、同一の本発明の概念である本発明の範囲に含まれ、更に、全ての要素は、技術的に均等な要素で置き換え可能である。実際、用いられる材料並びにその寸法形状は、技術的要件に応じて様々であって良い。
【符号の説明】
【００２１】
１０  ヘルメット
１２  バイザ
１３  後側延長部
１４  磁性部分
１５  相手方磁性部分
１６  端ストローク部
【図１】
2015004157.tif 000003
【図２】
2015004157.tif 000004
【図３】
2015004157.tif 000005
【図４】
2015004157.tif 000006
【外国語明細書】
2015004157000001.pdf